(57)【要約】【課題】ハウジングにシャッタロック部材を設けた磁気ディスクカートリッジにおいて、シャッタロック部材の取付けを容易にするとともに、取付部からの塵埃の侵入を防止する。【解決手段】シャッタロック部材１１を、上面に摺接面１２ａを備えたシャッタロック本体１２と、上面から突出した部分が摺接面側凸部１３ａ、下面から突出した部分が他面側凸部１３ｂとなる回転軸１３とから構成し、シャッタロック部材１２を、回転軸１３の摺接面側凸部１３ａが上シェルハーフ３に形成された軸受穴３ａに軸支された状態で摺接面１２ａが上シェルハーフ３の内面と摺接し、回転軸１３の他面側凸部１３ｂの端部が下シェルハーフ４の内面に摺接した状態で、上下シェルハーフ３、４により回転自在に挟持する。【選択図】          図５
2004272972.tif 000002
【特許請求の範囲】
【請求項１】
上下シェルハーフによって構成された扁平なハウジング内に記録媒体としての磁気ディスクが回転自在に収容され、前記ハウジングに、ドライブ装置の記録再生ヘッドを前記磁気ディスクの表面にアクセスさせるための開口と、該開口を開閉するロータリーシャッタと、該ロータリーシャッタを閉位置にロックするシャッタロック部材とが設けられてなる磁気ディスクカートリッジにおいて、
前記シャッタロック部材が、上下面のうちの一面に前記上下シェルハーフのいずれか一方の内面と摺接する摺接面を備えたシャッタロック本体と、該シャッタロック本体の前記一面に形成された摺接面側凸部と、該シャッタロック本体の上下面のうちの他面に形成された他面側凸部とから構成され、
前記上下シェルハーフのいずれか一方が、前記摺接面側凸部と略同径の軸受穴を備え、
前記シャッタロック部材が、前記摺接面側凸部が前記軸受穴に軸支された状態で前記摺接面が前記一方のシェルハーフの内面と摺接し、前記他面側凸部の端部が他方のシェルハーフの内面に摺接した状態で、前記上下シェルハーフに回転自在に挟持されていることを特徴とする磁気ディスクカートリッジ。
【発明の詳細な説明】
【０００１】
【発明の属する技術分野】
本発明は、デジタルスチルカメラ、デジタルビデオカメラ、ノートパソコン等の電子機器のカードスロットに装填可能なカード型ディスクドライブに交換自在に装填可能な小型の磁気ディスクカートリッジに関するものである。
【０００２】
【従来の技術】
従来より、デジタルカメラ等のモバイル機器においては、記録媒体として例えば特許文献１に記載されているような、「ｃｌｉｋ！（登録商標）」と呼ばれる超小型の磁気ディスクカートリッジが使用されている。
【０００３】
この磁気ディスクカートリッジは、押込み部を含む樹脂製のフレームと、金属薄板からなる上下シェルハーフとによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスクを回転自在に収容したものである。
【０００４】
この磁気ディスクカートリッジのハウジングには、ドライブ装置が備えている磁気ヘッドを磁気ディスクの表面にアクセスさせるためのＶ字状の開口と、この開口を開閉するロータリーシャッタとが設けられている。このロータリーシャッタは、小径の細長いコイルばねによって閉方向にばね付勢されている。
【０００５】
また、ハウジングの左側面先端部には、ドライブ装置内の係合部に係合させて、ドライブ装置内での位置決めを確実にするためのノッチが形成され、右側面先端部には、ロータリーシャッタを閉位置にロックするシャッタロック部材を外部に臨ませる小窓が形成されている。
【０００６】
さらに、ハウジングの下シェルハーフには、磁気ディスクのセンタコアにドライブ装置の回転スピンドルを結合させるための円形の開口と、ロータリーシャッタと同心的な円弧状溝とが形成され、ロータリーシャッタには、上記円弧状溝から突出しかつこの円弧状溝に沿って移動してロータリーシャッタを開閉するシャッタノブが固設されている。
【０００７】
【特許文献１】
米国特許第６２５６１６８号公報
【０００８】
【発明が解決しようとする課題】
ところで、上記の「ｃｌｉｋ！（登録商標）」のシャッタロック部材は、上シェルハーフにバーリング加工等により形成された円筒状の突起をシャッタロック部材に形成された軸受部に挿通した後、前記突起の先端にカシメ加工を施すことによって、軸受部を中心に回転自在に上シェルハーフに保持されているが、このような方法により取り付けを行うと、バーリング加工により形成される円筒状突起の穴よりハウジング内に塵埃が侵入する虞がある。
【０００９】
また、上記突起の径は１ｍｍ程度と非常に微少であるため、バーリング加工に用いる抜き型の耐久性が低く、さらに、カシメ加工を行う際に非常に高い精度が要求されるため生産性も良好ではない。
【００１０】
本発明は上記問題に鑑みてなされたものであり、ハウジングにシャッタロック部材を設けた磁気ディスクカートリッジにおいて、上述した問題点を解決した磁気ディスクカートリッジを提供することを目的とするものである。
【００１１】
【課題を解決するための手段】
本発明による磁気ディスクカートリッジは、上下シェルハーフによって構成された扁平なハウジング内に記録媒体としての磁気ディスクが回転自在に収容され、ハウジングに、ドライブ装置の記録再生ヘッドを磁気ディスクの表面にアクセスさせるための開口と、開口を開閉するロータリーシャッタと、ロータリーシャッタを閉位置にロックするシャッタロック部材とが設けられてなる磁気ディスクカートリッジにおいて、シャッタロック部材が、上下面のうちの一面に上下シェルハーフのいずれか一方の内面と摺接する摺接面を備えたシャッタロック本体と、シャッタロック本体の前記一面に形成された摺接面側凸部と、シャッタロック本体の上下面のうちの他面に形成された他面側凸部とから構成され、上下シェルハーフのいずれか一方が、摺接面側凸部と略同径の軸受穴を備え、シャッタロック部材が、摺接面側凸部が軸受穴に軸支された状態で摺接面が前記一方のシェルハーフの内面と摺接し、他面側凸部の端部が他方のシェルハーフの内面に摺接した状態で、上下シェルハーフに回転自在に挟持されていることを特徴とするものである。
【００１２】
シャッタロック部材は、シャッタロック本体、摺接面側凸部および他面側凸部が一体的に形成されているものであってもよいし、シャッタロック本体、摺接面側凸部および他面側凸部の全て、もしくは一部が別体に構成されており、それらが固着されて構成されたものであってもよい。
【００１３】
【発明の効果】
本発明による磁気ディスクカートリッジは、ハウジングにシャッタロック部材を設けた磁気ディスクカートリッジにおいて、シャッタロック部材を、上下面のうちの一面に上下シェルハーフのいずれか一方の内面と摺接する摺接面を備えたシャッタロック本体と、シャッタロック本体の前記一面に形成された摺接面側凸部と、シャッタロック本体の上下面のうちの他面に形成された他面側凸部とから構成し、上下シェルハーフのいずれか一方に、摺接面側凸部と略同径の軸受穴を設け、シャッタロック部材を、摺接面側凸部が軸受穴に軸支された状態で摺接面が前記一方のシェルハーフの内面と摺接し、他面側凸部の端部が他方のシェルハーフの内面に摺接した状態で、上下シェルハーフに回転自在に挟持させてハウジングを構成することによって、シャッタロック部材の取付けを行う際に、従来必要であったバーリング加工やカシメ加工を行う必要がなくなるため、組立てを容易にすることが可能であるとともに、ハウジング内に連通する円筒状突起が不要になるため、円筒状突起からの塵埃の侵入を防止するも可能となる。
【００１４】
【発明の実施の形態】
以下、本発明の実施の形態について図面とともに詳細に説明する。
【００１５】
図１は、ＰＣカード型ドライブ装置に対し押込み・引出し形式で着脱される「ｃｌｉｋ！（登録商標）」と呼ばれる超小型の磁気ディスクカートリッジを示し、図１（ａ）はその平面図、図１（ｂ）は右側面図、図１（ｃ）は底面図である。
【００１６】
図２は、本発明によるＰＣカード型ドライブ装置の本体を示す平面図で、このドライブ装置は、図示のドライブ装置本体２０と、本体２０と略同型の平面形状を備えて本体２０上に被せられる金属製上蓋（図示は省略）とから構成されている。
【００１７】
図１に示す磁気ディスクカートリッジ１は、押込み部２ａを含む樹脂製のフレーム２と、金属薄板からなる上下シェルハーフ３、４とによって構成された、幅５０ｍｍ、奥行き５５ｍｍ、厚さ１．９５ｍｍの扁平なハウジング内に、４０ＭＢの記憶容量を有する直径１．８インチ（４５．７ｍｍ）の磁気ディスク５を回転自在に収容している。
【００１８】
上記ハウジングには、図２に示すドライブ装置本体２０が備えている磁気ヘッド２７を磁気ディスク５の表面にアクセスさせるためのＶ字状の開口６と、この開口６を開閉するロータリーシャッタ７とが設けられている。ロータリーシャッタ７は、ハウジング内に設けられた小径の細長いコイルばね（図示は省略）によって閉方向（図１（ａ）の反時計方向）にばね付勢されている。
【００１９】
ハウジングの左側面先端部には、ドライブ装置本体２０内の係合部材２９に係合させて、ドライブ装置本体２０内での位置決めを確実にするためのノッチ８が形成され、右側面先端部には、ロータリーシャッタ７を閉位置にロックするシャッタロック部材１１の押圧部１２ｂを外部に臨ませる小窓９が形成されている。なお、図１はロータリーシャッタ７が閉位置にロックされている状態を示す。
【００２０】
磁気ディスクカートリッジ１がドライブ装置本体２０へ挿入される際に、ドライブ装置本体２０側に設けられたロック解除部材１９が小窓９を通してシャッタロック部材１１の押圧部１２ｂを押圧することにより、ロック部材１１がロック解除方向に僅かに回動されて、ロータリーシャッタ７のロックが解除されるように構成されている。
【００２１】
ここで、シャッタロック部材１１の構成、およびシャッタロック部材１１の取付構造について詳細に説明する。図３はシャッタロック部材の斜視図、図４は図３中のＰ矢指方向からのシャッタロック部材の側面図、図５はハウジングのシャッタロック部材取付部の断面図である。
【００２２】
シャッタロック部材１１は、上下面のうちの一面である上面に上シェルハーフ３の内面と摺接する摺接面１２ａ（図３中斜線部）を備えたシャッタロック本体１２と、シャッタロック本体１２に固着された回転軸１３とから構成される。
【００２３】
シャッタロック本体１２には、さらに後述のロック解除部材１９に押圧させるための押圧部１２ｂと、この押圧部１２ｂが押圧されてシャッタロック本体１２が回転軸１３を中心に回転した際にシャッタロック本体１２を所定位置方向に付勢する弾性部１２ｃとが形成されている。
【００２４】
回転軸１３は、シャッタロック本体１２の摺接面１２ａから突出した部分が摺接面側凸部１３ａ、上下面のうちの他面である下面１２ｂから突出した部分が他面側凸部１３ｂとなる。
【００２５】
このシャッタロック部材１２は、図５に示すように、回転軸１３の摺接面側凸部１３ａが上シェルハーフ３に形成された軸受穴３ａに軸支された状態で摺接面１２ａが上シェルハーフ３の内面と摺接し、回転軸１３の他面側凸部１３ｂの端部が下シェルハーフ４の内面に摺接した状態で、上下シェルハーフ３、４に回転自在に挟持されている。
【００２６】
このシャッタロック部材１２において、摺接面側凸部１３ａの直径ｘは、摺接面側凸部１３ａが軸受穴３ａに軸支された際に回転の中心にズレを生じさせないようにするために、軸受穴３ａの直径と略同寸に高精度に加工することが好ましい。
【００２７】
また、摺接面１２ａから摺接面側凸部１３ａの端部までの長さｙは、上シェルハーフ３の厚みよりも長くしてしまうと上シェルハーフ３の表面から突出してしまうため、上シェルハーフ３の厚みよりも短くすることが好ましい。
【００２８】
また、摺接面１２ａから他面側凸部１３ｂの端部までの長さｚは、シャッタロック部材１２が上下シェルハーフ３、４に挟持された際に外れないようにするために、上シェルハーフ３の内面から下シェルハーフ４の内面までの長さと略同寸に高精度に加工することが好ましい。
【００２９】
「ｃｌｉｋ！（登録商標）」と呼ばれる磁気ディスクカートリッジにおいては、軸受穴の直径を２ｍｍとした場合、摺接面側凸部の直径ｘを２ｍｍ、摺接面から摺接面側凸部の端部までの長さｙを０．２ｍｍ、摺接面から他面側凸部の端部までの長さｚを１．５５ｍｍとすることにより、適正に組立てを行うことが可能である。
【００３０】
シャッタロック部材およびハウジングを上記のような構成とすることにより、シャッタロック部材の取付けを行う際に、従来必要であったバーリング加工やカシメ加工を行う必要がなくなるため、組立てを容易にすることが可能であるとともに、ハウジング内に連通する円筒状突起が不要になるため、円筒状突起からの塵埃の侵入を防止するも可能となる。
【００３１】
ハウジングの下シェル４には、磁気ディスク５のセンタコア１０にドライブ装置本体２０の回転スピンドル２３を結合させるための円形の開口部４ａと、ロータリーシャッタ７と同心的な円弧状溝４ｂとが形成され、ロータリーシャッタ７には、上記円弧状溝４ｂから突出しかつこの円弧状溝４ｂに沿って移動してロータリーシャッタ７を開閉するシャッタノブ７ｂが固設されている。
【００３２】
図２に示すドライブ装置本体２０は、幅５３ｍｍ、奥行き８５ｍｍ、厚さ５ｍｍの寸法を有するＴＹＰＥＩＩ  ＰＣカード型ドライブ装置から金属製上蓋を除去したものであり、ディスクカートリッジ１が挿入されるスロット２１と、磁気ディスク５のセンタコア１０を磁気吸着するスピンドル２３を備えたスピンドルモータ２２と、ヘッドアクチュエータ２４と、スイングアーム２５と、このスイングアーム２５に支持されたヘッドサスペンション２６とを備えている。ヘッドサスペンション２６の先端には、回転する磁気ディスク５の表面にアクセスして情報の記録再生を行なう磁気ヘッド２７が設けられている。
【００３３】
さらにドライブ装置本体２０は、磁気ディスクカートリッジ１のノッチ８に係合する係合部材２９を備えたプッシュ・プッシュ式のカートリッジ係止・排出機構２８と、このドライブ装置本体２０が装填されるデジタルカメラ、パソコン等の電子機器に対する入出力インターフェース３０とを備えている。
【００３４】
ドライブ装置本体２０のスロット２１の奥の右側には、磁気ディスクカートリッジ１の挿入方向に直交するように左右に延びる係止壁１８がシャッタ開放手段として形成されているとともに、閉位置にロックされたロータリーシャッタ７のロックを磁気ディスクカートリッジ１の挿入時に解除するロック解除部材１９が設けられている。
【００３５】
そして、磁気ディスクカートリッジ１がドライブ装置のスロット２１に挿入されると、先ずロック解除部材１９がシャッタロック部材１１の押圧部１２ｂを押圧し、その状態でシャッタノブ７ｂが係止壁１８に係合するから、磁気ディスクカートリッジ１の押込みに伴ってシャッタノブ７ｂが係止壁１８に沿ってスライドする態様でロータリーシャッタ７がその付勢用コイルばねを圧縮しながら開位置まで回動され、同時に、磁気ディスクカートリッジ１のノッチ８にドライブ装置本体２０の係合部材２９が係合して、磁気ディスクカートリッジ１は、ドライブ装置本体２０内の所定位置に収納される。
【００３６】
一方、磁気ディスクカートリッジ１をドライブ装置から取り出すときには、磁気ディスクカートリッジ１の押圧部２ａを押圧することによって、カートリッジ係止・排出機構２８が磁気ディスクカートリッジ１を押し出すとともに、圧縮されたロータリーシャッタ付勢用コイルばねによってエジェクト時の初速が確保され、かつ磁気ディスクカートリッジ１の引き出しに伴ってロータリーシャッタ７は上記コイルばねの付勢力により閉位置まで回動されて、シャッタロック部材１１によりロックされるように構成されている。
【００３７】
以上、本発明の好ましい実施の形態について説明したが、シャッタロック部材は上記の態様に限定されるものではなく、図６（ａ）に示すように、シャッタロック本体１２´に絞り加工等により摺接面側凸部１３ａ´および他面側凸部１３ｂ´を形成して、シャッタロック本体１２´、摺接面側凸部１３ａ´および他面側凸部１３ｂ´を一体的に形成してもよい。
【００３８】
また、このような態様とする場合、図６（ｂ）に示すように、下シェルハーフ４´に絞り加工等により突起４ｃを形成することにより、摺接面側凸部１３ａ´´の端部から他面側凸部１３ｂ´´の端部までの長さを短くすることができるため、シャッタロック本体１２´´に絞り加工を施す際に、加工を容易にすることができる。
【図面の簡単な説明】
【図１】本発明による磁気ディスクカートリッジの平面図（ａ）、右側面図（ｂ）および底面図（ｃ）
【図２】本発明による磁気ディスクカートリッジに対応したＰＣカード型ドライブ装置のドライブ装置本体平面図
【図３】上記磁気ディスクカートリッジのシャッタロック部材の斜視図
【図４】上記磁気ディスクカートリッジのシャッタロック部材の側面図
【図５】上記磁気ディスクカートリッジのハウジングのシャッタロック部材取付部の断面図
【図６】上記磁気ディスクカートリッジのハウジングのシャッタロック部材取付部の断面図
【符号の説明】
１    磁気ディスクカートリッジ
２    フレーム
３    上シェルハーフ
４    下シェルハーフ
５    磁気ディスク
７    ロータリーシャッタ
１１    シャッタロック部材
１２    シャッタロック本体
１３    回転軸
１８    係止壁
１９    ロック解除部材
２０    ドライブ装置本体
【図１】
2004272972.tif 000003
【図２】
2004272972.tif 000004
【図３】
2004272972.tif 000005
【図４】
2004272972.tif 000006
【図５】
2004272972.tif 000007
【図６】
2004272972.tif 000008